(57)【特許請求の範囲】
【請求項１】
ディスクドライブが交換可能に取り付けられるデータ記録装置中で、前記ディスクドライブ内のディスク型記録媒体のフォーマット処理を行なう装置において、
ディスクドライブの記録容量に関する情報をディスクドライブから取得する取得手段と、
ディスクドライブが交換された可能性があることを検出する検出手段と、
ディスクドライブが交換された可能性があることが検出される前のディスクドライブの記録容量とディスクドライブが交換された可能性があることが検出された後のディスクドライブの記録容量とに基づいて、ディスクドライブの記憶容量の変化の有無を判断する判断手段と、
を備え、
前記判断手段が記録容量が変化したと判断したときに、ディスクドライブ内のディスク型記録媒体のフォーマット処理を行なう自動フォーマット装置。
【請求項２】
請求項１に記載の自動フォーマット装置において、
前記取得手段は、ディスクドライブにコマンドを発行し、ディスクドライブの記録容量に関する情報をディスクドライブから取得する自動フォーマット装置。
【請求項３】
請求項１又は２に記載の自動フォーマット装置において、
前記ディスクドライブは、ＡＴＡ（Advanced Technology Attachment）に準拠したハードディスクドライブであり、
前記取得手段は、ドライブＩＤ取得コマンドを発行することにより前記記録容量に関する情報を取得する自動フォーマット装置、
【請求項４】
請求項１乃至３のいずれかに記載の自動フォーマット装置において、
前記検出手段は、前記データ記録装置とＡＣコンセントとの接続の有無を検出することにより、ディスクドライブが交換された可能性があることを検出する自動フォーマット装置。
【請求項５】
請求項１乃至３のいずれかに記載の自動フォーマット装置において、
前記検出手段は、前記データ記録装置の所定の操作スイッチの操作を検出することにより、ディスクドライブが交換された可能性があることを検出する自動フォーマット装置。
【請求項６】
ディスクドライブが交換可能に取り付けられるデータ記録装置中で、前記ディスクドライブ内のディスク型記録媒体のフォーマット処理を行なう方法において、
コンピュータが、ディスクドライブの記録容量に関する情報をディスクドライブから取得するステップと、
前記コンピュータが、ディスクドライブが交換された可能性があることを検出するステップと、
前記コンピュータが、ディスクドライブが交換された可能性があることを検出した後に、ディスクドライブの記録容量に関する情報をディスクドライブから取得するステップと、
前記コンピュータが、ディスクドライブが交換された可能性があることが検出される前のディスクドライブの記録容量とディスクドライブが交換された可能性があることが検出された後のディスクドライブの記録容量とに基づいて、記憶容量の変化の有無を判断するステップと、
前記コンピュータが、記憶容量の変化の有を判断する場合に、ディスクドライブ内のディスク型記録媒体のフォーマット処理を行なうステップと
を有する自動フォーマット方法。
【発明の詳細な説明】
【０００１】
【発明の属する技術分野】
本発明は、様々な記録容量のディスクドライブが交換可能に取り付けられるデータ記録装置中で、ディスクドライブ内のディスク型記録媒体のフォーマット処理を行なう自動フォーマット装置及び自動フォーマット方法に関する。
【０００２】
【従来の技術】
ハードディスクにデータを記録するためには、その前提として、ハードディスク上に使用する領域を確保する処理（論理的なフォーマット処理）が行なわれていなければならない。
【０００３】
例えばパーソナルコンピュータの外部記憶装置としてハードディスクドライブを用いる場合には、この論理的なフォーマット処理（以下単にフォーマット処理ともいう）は、一般にユーザーがディスプレイの表示を見ながらキーボード等を操作することによって行なっている。
【０００４】
【発明が解決しようとする課題】
ところで、ＡＶデータ（映像データや音声データ）を記録・再生する装置には既にビデオテープレコーダ等が存在している。しかし、こうしたＡＶデータの記録再生装置として既存のものよりも大容量且つアクセスタイムの短いものを実現することも望まれており、それを実現する方法としては、ハードディスクドライブを用いて記録・再生を行なうこともひとつの有効な方法である。
【０００５】
そしてその場合には、ビデオテープレコーダではビデオテープが交換可能であるのと同様に、記録再生装置にハードディスクドライブをユニットとして交換可能（着脱可能）に取り付けることが望ましい。
【０００６】
しかし、このようにハードディスクドライブが交換可能に取り付けられる記録再生装置では、ハードディスクドライブを交換する毎に、交換後のハードディスクドライブ内のハードディスクのフォーマット処理を行なうことが当然必要になる。
【０００７】
この記録再生装置は、ビデオテープレコーダ等と同じくＡＶ関連商品の範疇に入るので、このフォーマット処理のための操作をパーソナルコンピュータにおけるようにユーザー自身に強いるとすると、商品としての使い勝手が非常に悪くなってしまう。
【０００８】
他方、記録再生装置の側に、特定の記録容量のみを想定したフォーマット処理を自動的に行なわせることは可能である。しかし、そのようにすると、ハードディスクドライブには様々な記録容量のものが存在しているのでハードディスクドライブがそれまで取り付けていたものとは異なる記録容量のものに交換される場合があるにもかかわらず、そうした場合にフォーマット処理が正しく行なわれなくなってしまう。
【０００９】
したがって、本発明の課題は、このＡＶデータの記録再生装置のような、様々な記録容量のディスクドライブが交換可能に取り付けられるデータ記録装置において、交換後のディスクドライブの記録容量が交換前のものとは異なっていても、交換後のディスクドライブ内のディスクのフォーマット処理を自動的に行なえるようにすることにある。
【００１０】
【課題を解決するための手段】
この課題を解決するために、自動フォーマット装置は、ディスクドライブが交換可能に取り付けられるデータ記録装置中で、前記ディスクドライブ内のディスク型記録媒体のフォーマット処理を行なう装置において、ディスクドライブの記録容量に関する情報をディスクドライブから取得する取得手段と、ディスクドライブが交換された可能性があることを検出する検出手段と、ディスクドライブが交換された可能性があることを検出される前のディスクドライブの記録容量とディスクドライブが交換された可能性があることを検出された後のディスクドライブの記録容量とに基づいて、ディスクドライブの記憶容量の変化の有無を判断する判断手段と、を備え、前記判断手段が記録容量が変化したと判断したときに、ディスクドライブ内のディスク型記録媒体のフォーマット処理を行なう。
また、自動フォーマット方法は、ディスクドライブが交換可能に取り付けられるデータ記録装置中で、前記ディスクドライブ内のディスク型記録媒体のフォーマット処理を行なう方法において、コンピュータが、ディスクドライブの記録容量に関する情報をディスクドライブから取得するステップと、前記コンピュータが、ディスクドライブが交換された可能性があることを検出するステップと、前記コンピュータが、ディスクドライブが交換された可能性があることを検出した後に、ディスクドライブの記録容量に関する情報をディスクドライブから取得するステップと、前記コンピュータが、ディスクドライブが交換された可能性があることを検出される前のディスクドライブの記録容量とディスクドライブが交換された可能性があることを検出された後のディスクドライブの記録容量とに基づいて、記憶容量の変化の有無を判断するステップと、前記コンピュータが、記憶容量の変化の有を判断する場合に、ディスクドライブ内のディスク型記録媒体のフォーマット処理を行なうステップとを有する。
【００１１】
この装置では、ディスクドライブの記録容量に関する情報が取得手段によりディスクドライブから取得され、データ記録装置に取り付けたディスクドライブが交換されると、ディスクドライブが交換された可能性があることが検出手段により検出され、ディスクドライブが交換された可能性があることが検出された後のディスクドライブの記録容量に関する情報が該取得手段によりディスクドライブから取得され、ディスクドライブが交換された可能性があることが検出される前のディスクドライブの記録容量とディスクドライブが交換された可能性があることが検出された後のディスクドライブの記録容量とに基づいて、ディスクドライブの記憶容量の変化の有無が判断手段により判断され、記録容量が変化したと判断手段により判断されたときに、ディスクドライブ内のディスク型記録媒体のフォーマット処理がおこなわれる。
また、この方法では、ディスクドライブの記録容量に関する情報がコンピュータによりディスクドライブから取得され、データ記録装置に取り付けたディスクドライブが交換されると、ディスクドライブが交換された可能性があることがコンピュータにより検出され、ディスクドライブが交換された可能性があることが検出された後のディスクドライブの記録容量に関する情報がコンピュータによりディスクドライブから取得され、ディスクドライブが交換された可能性があることを検出される前のディスクドライブの記録容量とディスクドライブが交換された可能性があることを検出された後のディスクドライブの記録容量とに基づいて、ディスクドライブの記憶容量の変化の有無がコンピュータにより判断され、記録容量が変化したとコンピュータにより判断されたときに、ディスクドライブ内のディスク型記録媒体のフォーマット処理がコンピュータによっておこなわれる。
【００１２】
このように、ディスクドライブが交換された可能性があることが自動的に検出され、交換後のディスクドライブの記録容量に関する情報が自動的に取得され、この記録容量に関する情報に基づいてフォーマット処理が行なわれるので、ディスクドライブが交換された可能性があることが検出された後のディスクドライブの記録容量がディスクドライブが交換された可能性があることが検出される前のものとは異なっている場合に、ディスクドライブが交換された可能性があることが検出された後のディスクドライブ内のディスクのフォーマット処理が自動的に行なわれるようになる。
【００１３】
ところで、例えばＣＤ−ＲＯＭドライブが着脱可能に取り付けられるノート型パーソナルコンピュータでは、ＣＤ−ＲＯＭドライブの交換時には事故防止のためにＡＣアダプタを本体から外すべきことがマニュアルに記載されている。同様に、ディスクドライブが交換可能に取り付けられるデータ記録装置でも、ディスクドライブの交換時には、事故防止のために、装置の電源コードのプラグをＡＣコンセントから抜くこと等によりＡＣコンセントとの接続を絶つことが要求される。
【００１４】
そこで、一例として、検出手段には、データ記録装置とＡＣコンセントとの接続の有無を検出することにより、ディスクドライブが交換された可能性があることを検出させるようにすることが好適である。
【００１５】
あるいは、別の例として、ディスクドライブの交換後には、ユーザーが所定の操作スイッチ（例えばリセットスイッチ）を操作すべきものとし、検出手段には、このスイッチの操作を検出することにより、ディスクドライブが交換された可能性があることを検出させるようにしてもよい。
【００１６】
また、検出手段をこれらの例のように構成した場合には、一例として、交換された可能性があることを検出された後のディスクドライブの記録容量に関する情報に基づいてデータ記録装置に取り付けられているディスクドライブの記録容量の変化の有無を判断する判断手段をさらに設け、この判断手段が記録容量が変化したと判断したときに、データ記録装置に取り付けられたディスクドライブ内のディスクのフォーマット処理を行なうようにすることが一層好適である。
【００１７】
それにより、データ記録装置に取り付けられているディスクドライブの記録容量が変化したときに、（すなわちディスクドライブがそれまで取り付けていたものとは異なる記録容量のものに交換されたとき）フォーマット処理が行なわれるようになる。
【００１８】
したがって、ユーザーが誤ってディスクドライブの交換時以外のときにＡＣコンセントとの接続を絶ったりこの所定の操作スイッチを操作したりしてしまった場合（すなわちディスクドライブが交換されていないのでデータ記録装置に取り付けられているディスクドライブの記録容量が変化していない場合）には、フォーマット処理が行なわれないので、そうした場合にそのディスクドライブ内のディスクの記録データが消去されてしまう事態が防止されるようになる。
【００１９】
なお、ハードディスクドライブとプロセッサとの接続のための規格の１つに、ＡＮＳＩ（米国規格協会）によるＡＴＡ（Advanced Technology Attachment）があり、このＡＴＡでは、プロセッサからドライブＩＤの取得のためのコマンドをハードディスクドライブに発行することにより、そのハードディスクドライブの記録容量に関する情報をプロセッサが取得することができるようにされている。
【００２０】
したがって、一例として、ディスクドライブがＡＴＡに準拠したハードディスクドライブである場合には、取得手段に、このドライブＩＤの取得のためのコマンドを発行することにより、交換後のディスクドライブの記録容量に関する情報を取得させることが好適である。
【００２１】
【発明の実施の形態】
以下に、ＡＶデータをハードディスクドライブを用いて記録・再生する装置に本発明を適用した例について説明する。
【００２２】
図１は、本発明が適用されるＡＶデータの記録再生装置のシステム構成例を示す。
記録時には、外部からこの記録再生装置１に入力したアナログの映像信号や音声信号が、入出力回路（ＩＮ／ＯＵＴ）２によりデジタル信号に変換され、符号化／復号化回路（ＥＮＣ／ＤＥＣ）３により符号化（圧縮）された後、ハードディスクドライブユニット（ＨＤＤユニット）４に送られて、装置本体に取り付けられたＨＤＤユニット４内のハードディスクに記録される。
【００２３】
符号化／復号化回路３には、映像信号（または映像信号とそれに付随する音声信号）をＭＰＥＧ２により符号化・復号するための回路と、音声信号のみをＡＴＲＡＣにより符号化・復号するための回路とが含まれている。
【００２４】
記録再生装置１では、装置本体に取り付けられるＨＤＤユニットの記録容量を、ＭＰＥＧ２により符号化された映像データ（または映像データとそれに付随する音声データ）（以下単に「映像データ」という）と、ＡＴＲＡＣにより符号化された音声データ（以下単に「音声データ」という）とに分配する比率として、予め一定の比率（一例として６：４とする）が設定されている。
【００２５】
ＨＤＤユニット４は、記録再生装置１に予めセットとして含まれているものであり、一例として記録容量が８ＧＢである。ＨＤＤユニット４内のハードディスクは、予め上記の６：４の比率で映像データ用の記録領域と音声データ用の記録領域とを確保するように論理フォーマット処理が行なわれることにより、映像データ用，音声データ用の領域がそれぞれ４．８ＧＢ，３．２ＧＢになっている。
【００２６】
符号化／復号化回路３により符号化（圧縮）されてＨＤＤユニット４に送られたデータのうち、映像データはこの映像データ用の領域に記録され、音声データはこの音声データ用の領域に記録される。
【００２７】
再生時には、ＨＤＤユニット４によりハードディスクから読み出された映像データや音声データは、符号化／復号化回路３により復号（伸長）され、入出力回路２によりアナログ信号に変換された後、記録再生装置１から外部に出力される。
【００２８】
ＣＰＵ５は、ＲＯＭ６に格納されたプログラムを、ＲＡＭ７をワークエリアとして実行することにより、記録・再生時に記録再生装置１の全体を制御する。ＲＯＭ６内のプログラムには、後出の図２の処理のプログラムも含まれている。
【００２９】
この記録再生装置１では、ＨＤＤユニットを、装置本体に交換可能（着脱可能）に取り付けられるようになっている。例えば既存のノート型パーソナルコンピュータには、ＣＤ−ＲＯＭドライブを着脱可能に取り付けられるようにしたものが存在しているので、記録再生装置１でも、それと同様な方式でＨＤＤユニットを交換可能に取り付けるようにしてよい。
【００３０】
ＣＰＵ５とハードディスクドライブとの接続方式としては、ＡＴＡが採用されており、ＨＤＤユニット４も、このＡＴＡに準拠している。
【００３１】
例えば１９９３年９月刊行の『トラ技コンピュータ』の第４４〜４９頁に記載されているように、ＡＴＡでは、プロセッサからドライブＩＤの取得のためのコマンドであるＥＣｈ（ｈは１６進数表示を意味する）をハードディスクドライブに発行することにより、そのハードディスクドライブに関する各種情報をプロセッサが取得することができ、その情報のうち、ワード５４の情報は現在のシリンダ数（ディスクの１記録面におけるトラック数）を表し、ワード５５の情報は現在のヘッド数（ディスクの記録面の総数）を表し、ワード５６の情報は１トラックあたりのセクタ数を表し、ワード５７〜５８の情報はアクセス可能なセクタ数を表している。
【００３２】
このワード５４〜５６の情報から、シリンダ数×ヘッド数×１トラックあたりのセクタ数の計算を行なえば、そのハードディスクドライブのセクタ総数が求められるので、そのセクタ総数×５１２バイト（１セクタの記録容量）の計算を行なえば、そのハードディスクドライブの記録容量（アクセス不可能な領域をも含めた記録容量）が求められる。
【００３３】
またこのワード５７〜５８の情報から、アクセス可能なセクタ数×５１２バイトの計算を行なえば、そのハードディスクドライブのアクセス可能な領域の記録容量が求められる。
【００３４】
したがって、ＣＰＵ５は、記録再生装置１に取り付けられたＡＴＡ準拠のＨＤＤユニットにコマンドＥＣｈを発行し、そのハードディスクドライブから得たワード５４〜５８の情報に基づいてこうした計算を行なうことにより、そのＨＤＤユニットの記録容量を求めることができる。
【００３５】
記録再生装置１は、電源コード（図示せず）を介してＡＣコンセントから電力の供給を受けるようになっている。ＨＤＤユニット４を別のＨＤＤユニットに交換するときには、事故防止のために、この電源コードのプラグをＡＣコンセントから抜くことが要求される（例えば記録再生装置１の図示しないマニュアルにその旨が記載されている）。
【００３６】
記録再生装置１の操作パネル（図示せず）上には、各種の操作スイッチ（例えば電源スイッチ，記録開始用のスイッチ，再生開始用のスイッチ，テンキースイッチ等）と共に、ＨＤＤユニットの交換終了後に記録を開始する前に操作すべきリセットスイッチが配置されている。
【００３７】
次に、記録再生装置１において、ＨＤＤユニット４が記録容量の異なるＨＤＤユニットに交換されたときの処理について説明する。
【００３８】
図２は、この交換時のためにＣＰＵ５が実行する処理の一例を示す。
ＣＰＵ５は、電源コードのプラグがＡＣコンセントに差し込まれた状態にあるかそれともＡＣコンセントから抜かれた状態にあるかを常に監視して、後者の状態から前者の状態への変化があったか否かを判断している（ステップＳ１）。
【００３９】
そしてこの変化があると、記録再生装置１に取り付けられたＨＤＤユニットに、前述のドライブＩＤ取得のためのコマンドＥＣｈを発行し、そのハードディスクドライブから得たワード５４〜５８の情報に基づいて前述のような計算を行なうことにより、そのＨＤＤユニットの記録容量を求める（ステップＳ２）。
【００４０】
続いて、求めた記録容量が、それまで記録再生装置１に取り付けられていたＨＤＤユニットの記録容量（ここではＨＤＤユニット４の記録容量８ＧＢ）と異なっているか否かを判断する（ステップＳ３）。
【００４１】
異なっていれば、そのＨＤＤユニット内のハードディスクに、前述の６：４の比率で映像データ用の記録領域と音声データ用の記録領域とを確保するように論理フォーマット処理を行なう（ステップＳ４）。そして、通常の処理（例えば記録開始用のスイッチの操作に基づく記録処理等）（ステップＳ５）に移る。
他方同じであれば、ステップＳ３から、ステップＳ４のフォーマット処理を経ることなくそのままステップＳ５に移る。
【００４２】
ここで、例えばユーザーがＨＤＤユニット４を記録容量が１２ＧＢのＨＤＤユニット８に交換するために電源コードのプラグをＡＣコンセントから抜き、交換を終了した後再び電源コードのプラグをＡＣコンセントに差し込むと、ステップＳ１からステップＳ２に進んでステップＳ２で記録容量１２ＧＢが求められ、それまでの記録容量８ＧＢとは異なっているのでステップＳ３からステップＳ４に進んでＨＤＤユニット８内のハードディスクにフォーマット処理が行なわれることにより、そのハードディスクの映像データ用，音声データ用の領域がそれぞれ７．２ＧＢ，４．８ＧＢになる。
【００４３】
したがって、ＨＤＤユニット４を記録容量の異なるＨＤＤユニット８に交換した後、このＨＤＤユニット８内のハードディスクのフォーマット処理が自動的に行なわれたことになる。
【００４４】
これに対し、ユーザーがＨＤＤユニット４を交換しないときに誤って電源コードのプラグをＡＣコンセントから抜いてしまい、その後再び電源コードのプラグをＡＣコンセントに差し込んだ場合には、ステップＳ１からステップＳ２に進むが、ステップＳ２でそれまでと同じ記録容量８ＧＢが求められるので、ステップＳ３からステップＳ４を経ることなくステップＳ５に移る。
【００４５】
したがって、この場合には、ＨＤＤユニット４内のハードディスクのフォーマット処理は行なわれないので、そのハードディスクの記録データが消去されてしまう事態が防止される。
【００４６】
ＨＤＤユニット４をＨＤＤユニット８に交換した後、さらにＨＤＤユニット８を１２ＧＢ以外の記録容量のＨＤＤユニットに交換するときにも、この図２の処理が再び実行される（ただし今度は、ステップＳ３では、ステップＳ２で求めた記録容量がＨＤＤユニット８の記録容量１２ＧＢと異なっているか否かが判断される）ことにより、やはり、交換後のＨＤＤユニット内のハードディスクのフォーマット処理が自動的に行なわれると共に、ユーザーの誤操作による記録データの消失が防止される。
【００４７】
なお、図２の処理では、ステップＳ１で、電源コードのプラグがＡＣコンセントから抜かれた状態からＡＣコンセントに差し込まれた状態への変化があったか否かを判断している。しかし、前述のように、記録再生装置１の操作パネル上には、ＨＤＤユニットの交換終了後に記録を開始する前に操作すべきリセットスイッチが配置されているので、ステップＳ１でこのリセットスイッチの操作イベントがあったか否かを判断するようにしてもよい。
【００４８】
そうした場合にも、やはり、記録容量の異なるＨＤＤユニットへの交換後にそのＨＤＤユニット内のハードディスクのフォーマット処理が自動的に行なわれると共に、ユーザーが誤ってＨＤＤユニットの交換時以外にリセットスイッチを操作することによる記録データの消失が防止される。
【００４９】
また、以上の例の説明は、ハードディスクの記録領域を映像データと音声データとに分配する比率が一定に設定されていることを前提として行なった。しかし、別の例として、ユーザーが操作パネルのテンキースイッチの操作等によりこの比率を任意に設定できるようにようになっていてもよい。
【００５０】
その場合には、図２のステップＳ４では、現在設定されている比率に従ってフォーマット処理を行なえばよい。
【００５１】
また、以上の例の説明は、ハードディスクに映像データ用の領域と音声データ用の領域との２つの領域を確保するようにフォーマット処理を行なうことを前提として行なった。しかし、別の例として、１つの領域のみ（例えば映像データ用の領域のみ）を確保するようにフォーマット処理を行なうようにしてもよい。
【００５２】
その場合には、図２のステップＳ４では、当該１つの領域として、交換後のＨＤＤユニットの記録容量に応じた大きさの領域を確保するようにフォーマット処理を行なえばよい。
【００５３】
あるいはまた、ハードディスクに３つ以上の領域を確保するようにフォーマット処理を行なうようにしてもよい。
【００５４】
また、以上の例では、ＡＴＡに準拠したハードディスクドライブが交換可能に取り付けられる装置に本発明を適用しているが、それ以外のハードディスクドライブ（例えばＳＣＳＩに準拠したハードディスクドライブ）が交換可能に取り付けられる装置や、ハードディスクドライブ以外のディスクドライブであって記録容量が様々なものが交換可能に取り付けられる装置にも本発明を適用してよい。
【００５５】
その際、ディスクドライブが交換された可能性があることを検出する方法としても、図２のステップＳ１のように電源コードの抜き差しに基づく方法（あるいはリセットスイッチの操作に基づく方法）以外に、ディスクドライブの種類に応じた適宜の方法を採用してよい。
【００５６】
そして、その検出方法が、電源コードの抜き差しに基づく方法やリセットスイッチの操作に基づく方法のようなユーザーの誤操作の余地のあるものではない場合には、図３のステップＳ３を省略することにより、常にステップＳ４のフォーマット処理を行なうようにしてもよい。
【００５７】
また、以上の例では、ＡＶデータの記録再生装置に本発明を適用しているが、ＡＶデータ以外のデータの記録装置にも本発明を適用してよい。さらに、外部記憶装置としてハードディスクドライブを外付けするパーソナルコンピュータに本発明を適用することにより、交換後のハードディスクドライブ内のハードディスクのフォーマット処理が自動的に行なわれるようにしてもよい。
【００５８】
また、本発明は、以上の実施例に限らず、本発明の要旨を逸脱することなく、その他様々の構成をとりうることはもちろんである。
【００５９】
【発明の効果】
以上のように、本発明によれば、ディスクドライブが交換された可能性があることが自動的に検出され、交換された可能性があることが検出された後のディスクドライブの記録容量に関する情報が自動的に取得され、この記録容量に関する情報に基づいてフォーマット処理が行なわれるので、交換された可能性があることが検出された後のディスクドライブの記録容量が交換された可能性があることが検出される前のものとは異なっている場合について、交換された可能性があることが検出された後のディスクドライブ内のディスクのフォーマット処理を自動的に行なうことができる。
【００６０】
また、検出手段を、ＡＣコンセントとの接続の有無やリセットスイッチの操作を検出するものとして構成した場合において、交換後のディスクドライブの記録容量に関する情報に基づいてデータ記録装置に取り付けられているディスクドライブの記録容量の変化の有無を判断する判断手段をさらに設け、この判断手段が記録容量が変化したと判断したときに、ディスクドライブ内のディスクのフォーマット処理を行なうようにした場合には、ユーザーが誤ってディスクドライブの交換時以外のときにＡＣコンセントとの接続を絶ったり所定の操作スイッチを操作したりしてしまったときにディスクドライブ内のディスクの記録データが消去されてしまう事態を防止することができる。
【図面の簡単な説明】
【図１】本発明が適用されるＡＶデータの記録再生装置のシステム構成例を示すブロック図である。
【図２】図１のＣＰＵが実行する処理の一例を示すフローチャートである。
【符号の説明】
１  記録再生装置、  ２  入出力回路、  ３  符号化／復号化回路、  ４，８ハードディスクドライブユニット、  ５  ＣＰＵ、  ６  ＲＯＭ、  ７  ＲＡＭ
【図１】
0004232233.tif 000002
【図２】
0004232233.tif 000003